(57)【要約】【課題】  最新の正確なオーダーメードのガイドブックを安価に販売する。【解決手段】  複数の異なる出版元がそれぞれ単位エリア毎に生成した旅行案内データ２８を登録し、その登録情報３６と価格情報３０を記憶した記憶装置と、任意の旅行案内データ２８を選択するための選択画面８２を表示してその結果を示す選択情報６２を取得するデータ選択制御手段６０と、選択された旅行案内データ２８を取得し編集してガイドブック用データ４６を生成する編集手段４０と、選択情報６２と価格情報３０に基づいて、ガイドブック４７の価格を計算するブック価格計算手段４２と、ガイドブック４７の販売データ生成処理を実行する販売処理手段４３とを備える。【選択図】図１
2005275768.tif 000002
【特許請求の範囲】
【請求項１】
複数の異なる出版元がそれぞれ単位エリア毎に生成した旅行案内データを登録し、その登録情報を記憶した記憶装置と、
前記登録された旅行案内データ中から任意の旅行案内データを選択するための、選択画面を表示して、その結果を示す選択情報を取得するデータ選択制御手段と、
前記選択情報を受け入れて、選択された前記単位エリアの旅行案内データを取得し編集して、ガイドブック用データを生成する編集手段とを備えたことを特徴とするガイドブック印刷システム。
【請求項２】
請求項１に記載のガイドブック印刷システムにおいて、
前記記憶装置は、前記各単位エリアの各旅行案内データを販売するときの価格情報を記憶し、
前記選択情報と前記価格情報に基づいて、前記ガイドブックの価格を計算するブック価格計算手段と、
前記ガイドブック用データと前記ガイドブックの価格を示すデータを受け入れて、当該ガイドブックの販売データ生成処理を実行する販売処理手段とを備えたことを特徴とするガイドブック印刷システム。
【請求項３】
請求項１に記載のガイドブック印刷システムにおいて、
前記編集手段の生成したガイドブック用データを使用して印刷したガイドブックを製本する、製本装置を備えたことを特徴とするガイドブック印刷システム。
【請求項４】
請求項２に記載のガイドブック印刷システムにおいて、
前記編集手段の生成したガイドブック用データを使用して印刷したガイドブックを製本する、製本装置を備え、
前記価格情報は前記旅行案内データを印刷出力するための価格を示す情報であって、
前記ガイドブックの販売データは、前記ガイドブックを印刷出力するための印刷データと、印刷出力したガイドブックの販売価格とを含むことを特徴とするガイドブック印刷システム。
【請求項５】
請求項１乃至４のいずれかに記載のガイドブック印刷システムにおいて、
前記選択情報には、旅行日と旅行案内の編集順序を示す情報が含まれ、
前記記憶装置に、旅行日毎に異なる内容の旅行案内データを記憶させたことを特徴とするガイドブック印刷システム。
【請求項６】
コンピュータを、
複数の異なる出版元がそれぞれ単位エリア毎に生成した旅行案内データを登録し、その登録情報を記憶した記憶装置と、
前記登録された旅行案内データ中から任意の旅行案内データを選択するための、選択画面を表示して、その結果を示す選択情報を取得するデータ選択制御手段と、
前記選択情報を受け入れて、選択された前記単位エリアの旅行案内データを取得し編集して、ガイドブック用データを生成する編集手段、
として機能させるガイドブック印刷プログラム。
【請求項７】
旅行案内テンプレートにより単位エリアの旅行案内データを生成する旅行案内データ生成手段と、
前記生成された旅行案内データを記憶する記憶装置と、
前記記憶装置に記憶された単位エリアの旅行案内データの記憶場所を示す情報とデータ更新時を、前記旅行案内テンプレートの配信元に登録するデータ登録手段と、
前記旅行案内テンプレートの配信元の要求に従って、ネットワークを通じて前記旅行案内データを転送するデータ転送手段とを備えたことを特徴とするガイドブック印刷システム用端末装置。
【請求項８】
コンピュータを、
旅行案内テンプレートにより単位エリアの旅行案内データを生成する旅行案内データ生成手段と、
前記生成された旅行案内データを記憶する記憶装置と、
前記記憶装置に記憶された単位エリアの旅行案内データの記憶場所を示す情報とデータ更新時を、前記旅行案内テンプレートの配信元に登録するデータ登録手段と、
前記旅行案内テンプレートの配信元の要求に従って、ネットワークを通じて前記旅行案内データを転送するデータ転送手段、
として機能させるガイドブック印刷システム端末用プログラム。
【発明の詳細な説明】
【技術分野】
【０００１】
本発明は、任意の希望する行き先の旅行案内を選択して製本したガイドブックを提供でき、さらに、新しく正確な内容の旅行案内を発行できる用途に使用される、ガイドブック印刷システムとガイドブック印刷プログラムとガイドブック印刷システム用端末装置とガイドブック印刷システム端末用プログラムに関する。
【背景技術】
【０００２】
旅行には、ガイドブックを欠かすことができない。しかしながら、具体的で詳細な案内の記載されたガイドブックは、訪問先以外の不要な記事が多すぎて荷物になる。一方、軽くて薄いガイドブックは、訪問先の情報も不足することが多い。そこで、出版社に対して必要な記事のみを指定して購入することができるようなシステムも開発されている（特許文献１参照）。
【特許文献１】特開２００３−６２９２号公報
【発明の開示】
【発明が解決しようとする課題】
【０００３】
ここで、従来のガイドブック印刷システムには、次のような解決すべき課題があった。
出版社では、多額の取材費用と時間をかけて旅先の情報を収集して記事を編集する。さらに、取材をしてから時間が経過すると、記事の内容と実際との食い違いが生じるから、頻繁に改訂をする必要がある。このために、一括して大量に印刷製本して販売することで利益を確保している。従って、ガイドブックを利用者のオーダーに応じて分割販売するような方法では、採算性が著しく悪化する。即ち、利用者の利便性を優先すると出版社の利益が確保できず、記事の品質も維持できないという問題があった。
本発明は以上の課題を解決するためになされたもので、利用者が希望する記事を選択して製本した旅行用のガイドブックを、新しさと正確さを維持しながら出版することができる、ガイドブック印刷システムとガイドブック印刷プログラムとガイドブック印刷システム用端末装置とガイドブック印刷システム端末用プログラムを提供することを目的とする。
【課題を解決するための手段】
【０００４】
本発明の各実施例においては、それぞれ次のような構成により上記の課題を解決する。
〈構成１〉複数の異なる出版元がそれぞれ単位エリア毎に生成した旅行案内データを登録し、その登録情報を記憶した記憶装置と、上記登録された旅行案内データ中から任意の旅行案内データを選択するための、選択画面を表示して、その結果を示す選択情報を取得するデータ選択制御手段と、上記選択情報を受け入れて、選択された上記単位エリアの旅行案内データを取得し編集して、ガイドブック用データを生成する編集手段とを備えたことを特徴とするガイドブック印刷システム。
【０００５】
複数の異なる出版元によって、旅行案内データが単位エリア毎に準備されている。例えば、旅行先の観光協会等が地元の観光スポットを紹介するような旅行案内データを作成すれば、常に最新の正確な情報が安価に提供できる。単位エリアの範囲は、各出版元が確実な情報を提供できる範囲にすればよい。利用者は、単位エリアを自由に選択して組み合わせたものを注文できるので、無駄の無いオーダーメードのガイドブックを購入することができる。ガイドブックデータをネットワークを通じてダウンロードすれば、ガイドブックを利用者自身のプリンタで印刷することもできる。
【０００６】
〈構成２〉構成１に記載のガイドブック印刷システムにおいて、上記記憶装置は、上記各単位エリアの各旅行案内データを販売するときの価格情報を記憶し、上記選択情報と上記価格情報に基づいて、上記ガイドブックの価格を計算するブック価格計算手段と、上記ガイドブック用データと上記ガイドブックの価格を示すデータを受け入れて、当該ガイドブックの販売データ生成処理を実行する販売処理手段とを備えたことを特徴とするガイドブック印刷システム。
【０００７】
各単位エリアの各旅行案内データを販売するときの価格情報を、記憶装置に記憶させておけば、ガイドブックの価格計算と、各出版元に対する旅行案内データの対価の支払い計算が容易にできる。
【０００８】
〈構成３〉構成１に記載のガイドブック印刷システムにおいて、上記編集手段の生成したガイドブック用データを使用して印刷したガイドブックを製本する、製本装置を備えたことを特徴とするガイドブック印刷システム。
【０００９】
ガイドブックデータをネットワークを通じてダウンロードするのもよいが、高品質で装丁のよい製本を施した自分専用のガイドブックは旅行記念としても最適なものになる。
【００１０】
〈構成４〉構成２に記載のガイドブック印刷システムにおいて、上記編集手段の生成したガイドブック用データを使用して印刷したガイドブックを製本する、製本装置を備え、上記価格情報は上記旅行案内データを印刷出力するための価格を示す情報であって、上記ガイドブックの販売データは、上記ガイドブックを印刷出力するための印刷データと、印刷出力したガイドブックの販売価格とを含むことを特徴とするガイドブック印刷システム。
【００１１】
利用者は、例えば、販売店の端末装置を操作して、単位エリア毎の旅行案内データを選択し、その場でオーダーメードのガイドブックを印刷させて購入することができる。また、出版社にオーダーメードのガイドブックを印刷させて郵送により取得することができる。さらに、ブック価格計算手段により、自動的に請求書等の発行が可能になる。
【００１２】
〈構成５〉構成１乃至４のいずれかに記載のガイドブック印刷システムにおいて、上記選択情報には、旅行日と旅行案内の編集順序を示す情報が含まれ、上記記憶装置に、旅行日毎に異なる内容の旅行案内データを記憶させたことを特徴とするガイドブック印刷システム。
【００１３】
編集順序を示せば、旅行日順に旅行案内データを配列して出力するので、利用者の旅行プランに合わせた、使いやすいガイドブックになる。また、旅行日（季節や曜日）毎に、それぞれ別々の旅行案内データを記憶させておけば、最適な旅行案内を組み込んだガイドブックができる。例えば、各旅行案内データの属性データに旅行日を含めておけば、旅行日毎に異なる内容の旅行案内データを記憶させることができるデータ構成になる。
【００１４】
〈構成６〉コンピュータを、複数の異なる出版元がそれぞれ単位エリア毎に生成した旅行案内データを登録し、その登録情報を記憶した記憶装置と、上記登録された旅行案内データ中から任意の旅行案内データを選択するための、選択画面を表示して、その結果を示す選択情報を取得するデータ選択制御手段と、上記選択情報を受け入れて、選択された上記単位エリアの旅行案内データを取得し編集して、ガイドブック用データを生成する編集手段、として機能させるガイドブック印刷プログラム。
【００１５】
構成１のシステムを動作させるためのコンピュータプログラムである。
【００１６】
〈構成７〉旅行案内テンプレートにより単位エリアの旅行案内データを生成する旅行案内データ生成手段と、上記生成された旅行案内データを記憶する記憶装置と、上記記憶装置に記憶された単位エリアの旅行案内データの記憶場所を示す情報とデータ更新時を、上記旅行案内テンプレートの配信元に登録するデータ登録手段と、上記旅行案内テンプレートの配信元の要求に従って、ネットワークを通じて上記旅行案内データを転送するデータ転送手段とを備えたことを特徴とするガイドブック印刷システム用端末装置。
【００１７】
旅行案内テンプレートで定型化された旅行案内データを配信して編集させることで、異なる出版元の旅行案内データを組み合わせても、統一性のあるガイドブックが編集できる。また、当該旅行先にある出版元の端末装置で管理することで、記事の新しさと正確さが容易に維持でき、管理コンピュータ側でのデータ管理の負荷も軽減される。予め価格情報を登録しておけば、利用者は旅行案内データ選択時にガイドブックの価格を予め確認できる。また、旅行案内データの更新時を示す情報を登録しておけば、管理サーバからの更新要求により、一定以上の新しさを維持できる。
【００１８】
〈構成８〉コンピュータを、旅行案内テンプレートにより単位エリアの旅行案内データを生成する旅行案内データ生成手段と、上記生成された旅行案内データを記憶する記憶装置と、上記記憶装置に記憶された単位エリアの旅行案内データの記憶場所を示す情報とデータ更新時を、上記旅行案内テンプレートの配信元に登録するデータ登録手段と、上記旅行案内テンプレートの配信元の要求に従って、ネットワークを通じて上記旅行案内データを転送するデータ転送手段、として機能させるガイドブック印刷システム端末用プログラム。
【００１９】
構成５の端末装置を動作させるためのコンピュータプログラムである。
【発明を実施するための最良の形態】
【００２０】
本発明では、ネットワークを通じて接続した複数の異なる出版元の端末装置から旅行案内データを取得する。各出版元では、それぞれ単位エリア毎に旅行案内データを生成する。これらのデータを組み合わせてオーダーメードのガイドブックを生成し製本等をする。以下、本発明の実施の形態を実施例毎に詳細に説明する。
【実施例１】
【００２１】
図１は、実施例１のガイドブック印刷システムを示すブロック図である。ネットワーク１２には、管理コンピュータ１４とウェブサーバ１６と出版元の端末装置１８と出版元の端末装置２０と出版元の端末装置２２と利用者の端末装置２４が接続されている。図１に示すシステムは、管理コンピュータ１４により制御される。この管理コンピュータ１４は、パーソナルコンピュータあるいはワークステーション等からなる。管理コンピュータ１４の記憶装置や演算処理装置３８は、管理コンピュータ１４の本体制御部に内蔵されていても外付けされていても構わない。
【００２２】
管理コンピュータの記憶装置２６には、旅行案内データ２８と価格情報３０と旅行案内テンプレート３２と顧客情報３４と登録情報３６とが記憶されている。旅行案内データ２８は、複数の異なる出版元がそれぞれ単位エリア毎に生成したデータである。価格情報３０は、各単位エリアの各旅行案内データ２８を販売するときの価格計算用のデータである。旅行案内テンプレート３２は、旅行案内データの企画を統一するために出版元に提供されるデータである。顧客情報３４は、利用者毎に設けられ、ガイドブックの製本等を要求する利用者に関する情報を記録したものである。具体例は後で説明する。登録情報３６は、出版元毎に設けられたもので、具体例は後で説明する。
【００２３】
管理コンピュータ１４の演算処理装置３８には、次のような機能を持つコンピュータプログラムがインストールされている。編集手段４０は、後で説明するように、ウェブサーバ１６から選択情報６２を受け入れて、出版元の端末装置１８等から選択された単位エリアの旅行案内データ２８を取得し編集して、ガイドブック用データを生成する機能を持つ。ブック価格計算手段４２は、選択情報６２と価格情報３０に基づいて、ガイドブックの価格を計算する機能を持つ。販売処理手段４３は、ガイドブック用データ４６とガイドブックの価格を示すデータを受け入れて、当該ガイドブックの販売データ生成処理を実行する機能を持つ。更新要求手段４４は自動的に出版元の端末装置１８に対し更新要求を送信する機能を持つ。
【００２４】
なお、管理コンピュータ１４には、ディスプレイ、キーボード、マウス、といったマンマシンインタフェース用ハードウエアが設けられている。ディスプレイはコンピュータで処理をした結果を出力するための任意の構成の表示出力装置である。利用者が管理コンピュータ１４を操作してガイドブックを得ることもできる。そのときは、そのディスプレイに選択画面を表示する。キーボードやマウスはコンピュータに指示を入力するための装置であり、選択情報の生成に利用される。これらのマンマシンインタフェース用ハードウエアは、全て既知のものを使用することができるので、図示及び各機能の具体的な説明は省略する。以下の実施例では、利用者が利用者の端末装置２４を操作して旅行案内データの選択をするように説明する。また、管理コンピュータ１４には、製本装置４８とプリンタ４９が接続されている。製本装置４８はガイドブック４７を自動的に製本する装置である。プリンタ４９は、請求書５０や価格計算書５２を自動的に印刷する装置である。
【００２５】
ウェブサーバ１６は、記憶装置５４と演算処理装置５８とを備える。これらはウェブサーバ１６に内蔵されていても外付けされていても構わない。記憶装置５４には、選択画面データ５６が記憶されている。ウェブサーバの演算処理装置５８にはデータ選択制御手段６０というコンピュータプログラムがインストールされている。ウェブデータは、所定のＵＲＬ（Uniform Resource Locator）を用いて、ネットワーク１２を通じて閲覧可能な状態にされている。ウェブデータは、ＨＴＭＬ（Hyper Text Mark-up Language）、ＳＧＭＬ（Standard Generalized Mark-up Language）、ＸＭＬ（eXtensible Markup Language） 等の形式で作成され、ネットワーク１２を通じて利用者の端末装置２４のブラウザにより閲覧可能な形式のデータである。
【００２６】
また、ウェブデータ中には、Vbscript（Visual Basic Script：Microsoft社の開発したプログラミング言語）やJAVA(登録商標)(Sun Microsystems社の開発したプログラミング言語)、JAVAscript（登録商標）(Sun Microsystems社とNetscape Communications社が開発したスクリプト言語）等で記述したコンピュータプログラムが含まれている。選択画面８２（図２）は、登録された旅行案内データ２８中から任意の旅行案内データ２８を選択するための画面であり、データ選択制御手段６０はその結果を示す選択情報６２を取得するコンピュータプログラムである。
【００２７】
図１のネットワーク１２は、インターネットやイントラネット（ＬＡＮ、ＷＡＮ）、電話回線網等の各種の任意の情報通信用ネットワークである。有線ネットワークでも無線ネットワークでも構わない。このネットワーク１２には、出版元の端末装置１８、２０、２２が接続されている。各端末装置は、例えば、観光地の観光案内所等の、旅行案内データを取得して管理するのに最も適した場所に設置される。出版元の記憶装置６４には、単位エリア毎の旅行案内データ７０と単位エリア毎の価格情報７６とが記憶されている。出版元の記憶装置６６や出版元の記憶装置６８も同様であるから重複する説明は省略する。
【００２８】
以上のシステムでは、複数の異なる出版元によって、旅行案内データ２８が単位エリア毎に準備されている。利用者は、利用者の端末装置２４を操作して、単位エリアを自由に選択して組み合わせたものを注文する。ガイドブックデータをネットワーク１２を通じて、利用者の端末装置２４にダウンロードすることもできる。請求書５０は利用者に発送され、価格計算書５２は出版元に発送される。
【００２９】
従って、複数の出版元が、それぞれ自己の守備範囲で、低コストで正確な最新の旅行案内データ２８を生成して登録をし、それらを収集して製本すれば、オーダーメードのガイドブック４７も安価に販売できる。なお、製本は、印刷されたガイドブックがひとまとまりに綴じられていればよく、その綴じ方は任意である。登録情報３６は、少なくとも単位エリア名と出版元とを表示した情報であればよい。登録情報３６は、旅行案内データ２８の選択や転送要求、あるいは、費用支払い手続き、更新要求等に使用される。選択画面８２は、ガイドブック印刷システムを構成するコンピュータのディスプレイに表示されてもよいし、ネットワーク１２を通じて接続された端末装置に表示されてもよい。
【００３０】
旅行者が予定した旅行先を案内するための、必要最小限の旅行案内情報を単位エリアの旅行案内データ２８とするとよい。この単位エリアの広さは旅行案内を作成する側で自由に定めるとよい。内容も任意である。旅行案内データ２８は、出版元の端末装置１８等で編集し、印刷が可能な電子化されたデータである。単位エリア毎の旅行案内データ２８を、データのままダウンロードさせたり、あるいは印刷製本をして販売する。管理コンピュータ１４の記憶装置２６には、単位エリアの各旅行案内データ２８を販売したときの価格情報３０を記憶させておく。管理コンピュータの記憶装置２６は複数台あって構わない。どこにあってもよい。各旅行案内データ２８はネットワーク１２を通じて接続された任意の記憶装置に記憶されていればよい。ガイドブックを生成するときに編集手段４０が取得できればよい。
【００３１】
価格情報３０には、データとして販売したときと、印刷して販売したときの両方が含まれているとよい。選択画面は、例えば、ネットワーク１２を通じて利用者の端末装置２４に表示される。選択画面は利用者が操作して、任意の旅行案内データ２８を、単位エリア毎に選択するために使用される。選択方法は任意である。単位エリア毎に旅行案内データ２８を選択させるための画面構成も任意である。選択をした結果を示す情報が選択情報６２である。ガイドブックを販売するために、管理コンピュータ１４の記憶装置２６に記憶した価格情報３０を利用して、その価格を計算する。
【００３２】
なお、旅行社が多数の支社で作成した旅行案内データを選択しながら集めて編集をし、それを利用者に配布するような場合には、ガイドブック自体の価格計算はしない。また、例えば、全国の旅館組合や観光協会が旅行案内データを無償で提供し、管理コンピュータを管理する管理会社は印刷手数料のみを利用者から徴収したり、旅館組合等から支払われる広告料で運用をして、ガイドブック自体は無償で利用者に配布するような場合がある。
【００３３】
販売データは、ガイドブックを印刷するためのガイドブックデータや、請求書５０や価格計算書５２を印刷するための請求書データ等を含む。価格情報３０は、旅行案内データ２８の販売価格を直接示すデータでもよいし、例えば、ページ数とか、価格帯のような、間接的に価格を表示するデータでもよい。複数の異なる出版元の提供する旅行案内データ２８を組み合わせて編集するから、販売価格の根拠となる価格情報３０を明確にしておく。これにより、管理コンピュータ１４側の計算やデータの管理負荷が軽減される。出版元毎に単価が異なってもよいし、単価は一律でページ数換算をするようにしてもよい。
【００３４】
図２は選択画面８２とガイドブックの表紙９８とガイドブックのページ１００の実施例を示す説明図である。選択画面８２は、図２（ａ）に示すように、表題８４と旅行日８６と旅行先８８とを入力するテキストボックスを備えている。また、旅行先８８を入力するときに該当する単位エリアを選択できるように、検索ボタン９０が設けられている。この検索ボタンをクリックすると、例えば、北海道地方で用意された、いくつかの旅行案内データのリストが表示される。さらに、ガイドブックをダウンロードするか製本されたものを受け取るかを選択するためのオプションボタン９２が設けられている。なお、価格情報を利用することで、指定した納品態様でのガイドブックの価格も計算して表示できる。選択操作を終了すると、注文ボタン９４をクリックして発注をする。また、操作をやり直すときは、キャンセルボタン９６をクリックする。
【００３５】
ガイドブックの表紙９８は、図２（ｂ）に示すように、表題８４や旅行日８６や旅行先８８等を利用してデザインされる。さらに様々なカットを付加して装飾するとよい。ガイドブックのページ１００は図２（ｃ）に示すように、旅行先の訪問日を表示すると共に、地図や見どころ等を表示する。また、訪問日が特定されているから、該当する当日のイベント等を表示できる。また、クーポン券を含めて、広告や勧誘をすることで、旅行案内データの制作コストを低減できる。出版元が旅行先であることがこの効果をもたらす。また、アンケート等を含めて、旅行先の受け入れ体制や旅行案内データ自体の改善に役立てることができる。出版元情報は、利用者に対する出版元のピーアールに有効である。
【００３６】
図３は、ネットワークを通じた具体的な交信データの種類と内容の説明図である。図３（ａ）は、ウェブサーバ１６と利用者の端末装置２４との間の交信データを説明するものである。ウェブサーバ１６は、利用者の端末装置２４からアクセスがあると、選択画面データ５６を転送する。利用者の端末装置２４では、この選択画面データ５６を利用して、旅行案内データ２８の選択処理を行う。また、図２を用いて説明したように、ガイドブックの表紙に印刷するための表題８４や旅行日８６などを入力する。これらの情報を含む選択情報６２が、ウェブサーバ１６に転送される。ウェブサーバ１６では、選択情報６２を受け取ると、編集手段４０による編集処理が実行され、例えば、ダウンロードを要求された場合には、ガイドブック用データ１１２を利用者の端末装置２４に転送する。なお、製本したガイドブックが要求された場合には、ガイドブック４７を印刷し製本して郵送で利用者側に送る。このとき、請求書５０を印刷して同封するとよい。
【００３７】
図３（ｂ）は、管理コンピュータ１４と出版元の端末装置１８との間の交信データを説明するものである。管理コンピュータ１４は、出版元の端末装置１８に対して、予め旅行案内テンプレート３２を転送する。出版元の端末装置１８では、このテンプレート３２を利用して旅行案内データ２８を生成する。このデータは出版元の端末装置１８の記憶装置に記憶しておく。そして、管理コンピュータ１４から所定のタイミングでデータ転送要求１１４があると、その旅行案内データ２８を管理コンピュータ１４に転送する。このデータ転送要求のタイミングは、例えば、利用者からのガイドブック印刷の注文があった直後でもよい。また、例えば、定期的に全ての出版元の端末装置から旅行案内データ２８を収集し、管理コンピュータ１４の記憶装置に蓄積しておくようにしてもよい。その旅行案内データ２８を利用して、ガイドブックの印刷を行った場合には、該当するガイドブックの販売価格に見合った費用を出版元に対し支払う。このための費用計算の結果を価格計算書５２に表示して、出版元の端末装置１８に転送する。なお、この価格計算書５２は、印刷をして、郵送で出版元に送っても構わない。
【００３８】
図３（ｃ）は、顧客情報３４の具体例を示す説明図である。顧客情報３４は、顧客コード１１６、選択情報６２、販売価格１１８、及び、ガイドブック印刷データ１２０などを含む。顧客コード１１６は、全ての利用者の識別のために、例えば、ガイドブックの注文があったときに採番される。選択情報６２は、利用者が選択した旅行案内データ２８の識別情報（例えば、旅行先を示す情報）や、その他の付加情報からなる。選択情報６２には、この図に示すように、旅行日８６やガイドブックへの旅行案内データ編集順１１７を示す情報などが含められる。なお、この編集順１１７は、例えば、図２に示した選択画面８２の配列により指定すればよい。即ち、この画面に上から順番に旅行日の順に旅行先が入力されると、それがガイドブックの編集順となる。販売価格１１８は、利用者に渡すガイドブックの価格や、製本されたガイドブックの価格を示すデータである。ガイドブック印刷データ１２０は、ガイドブックを製本するために保持しておくデータである。このデータを製本装置４８に転送すれば、ガイドブック４７が製本される。
【００３９】
価格情報３０は旅行案内データ２８を印刷出力するための価格を示す情報である。ガイドブックの販売データというのは、ガイドブックを印刷出力するための印刷データと、印刷出力したガイドブックの販売価格を含む概念である。選択情報６２には、旅行日８６と旅行案内の編集順１１７を示す情報が含まれるから、記憶装置２６に、旅行日毎に異なる内容の旅行案内データ２８を記憶させることが好ましい。
【００４０】
図３（ｄ）は、登録情報３６の具体例を示す説明図である。図の登録コード１２２は、出版元を区別するための識別データである。なお、一つの出版元が２種類以上の旅行案内データを提供している場合には、それぞれに登録コード１２２を付ければよい。さらに、この登録情報３６には、エリア名１２４、出版元１２６、ＵＲＬ１２８、更新日１３０などが含められる。エリア名１２４は、旅行案内データがカバーしている旅行先の名称で、例えば、都市名とか、山の名前とか、温泉名とかを用いればよい。出版元１２６は、例えば、○○町観光協会といった表示になる。ＵＲＬ１２８は、出版元の端末装置のどこに旅行案内データが記録されているかを示すネットワークアドレスである。更新日１３０は、旅行案内データの最も最近の更新日を示すデータである。これを見てその更新日が古い場合には、図１に示した管理コンピュータ１４の更新要求手段４４が自動的に出版元の端末装置１８に対し、更新要求を送信する、といったデータ品質の管理が可能になる。
【実施例２】
【００４１】
図４は実施例２のガイドブック印刷システム用端末装置を示すブロック図である。上記の実施例１では、多数の出版元からそれぞれ独自に作成された旅行案内データを収集している。これらの旅行案内データは、全て管理コンピュータ１４側に蓄積して管理することができる。しかし、そのデータ管理は煩雑になり、必ずしも容易でない。例えば、全国の各観光地の観光協会等が出版元であり、そこに設けられた端末装置からそれぞれ最新の旅行案内データが転送されるものとすれば、その旅行案内データ自体は、各出版元側で管理するほうが管理が容易である。
【００４２】
もちろん、管理コンピュータ側に旅行案内データをアップロードする記憶領域を設けて、出版元側の制御で旅行案内データの更新管理をするシステムも可能である。しかしながら、出版元が管理を怠ると旅行案内データの品質が保てない。一方、各旅行先の観光協会等は、それぞれ独自に旅行者向けのホームページを管理していることが多い。このホームページの内容と旅行案内データの内容とは、かなりオーバーラップしている。
【００４３】
そこで、図４に示す実施例２では、出版元の端末装置１８に、サーバの機能を持つものを採用し、旅行案内データ２８は全て出版元側の端末装置１８に記憶しておき、必要なときに管理コンピュータ側でアクセスしてデータを読み取るようにした。即ち、図４の出版元の端末装置１８に接続された記憶装置６４には、旅行案内ホームページ１１０が設けられている。このホームページ１１０は、各観光地の観光協会などがその土地の旅行者に対する情報を提供するためのものである。こうしたホームページを管理している地域では、十分にホームページの内容を検討し、常に誤りの無い新しいデータをアップロードすることに心掛けている。
【００４４】
旅行案内テンプレート３２を利用して、こうしたホームページの内容をそのまま旅行案内データ２８に転記することができれば、高品質で新鮮な旅行案内データ２８を生成できる。しかも、ネットワーク１２を経由して、管理コンピュータ１４からいつでもその旅行案内データ２８をダウンロードできるようにすれば、管理コンピュータ側のデータ管理負荷も軽減される。こうした目的のために出版元の記憶装置６４には、旅行案内テンプレート３２、旅行案内データ２８、価格情報３０、及び、登録情報３６を記憶している。
【００４５】
出版元の演算処理装置１０２は、旅行案内データ生成手段１０４とデータ登録手段１０６とデータ転送手段１０８のコンピュータプログラムをインストールしている。旅行案内データ生成手段１０４は、旅行案内テンプレート３２により単位エリアの旅行案内データ２８を生成する機能を持つ。データ登録手段１０６は、記憶装置に記憶された単位エリアの旅行案内データ２８の記憶場所を示す情報と価格情報３０とデータ更新時を、前記旅行案内テンプレート３２の配信元（図１の例では管理コンピュータ１４）に登録する機能を持つ。データ転送手段１０８は、旅行案内テンプレート３２の配信元の要求に従って、ネットワーク１２を通じて旅行案内データ２８を転送する機能を持つ。
【００４６】
出版元の記憶装置６４に記憶した旅行案内データ２８は、例えば、季節や曜日などその旅行日毎に最適なものを提供できるように、任意の検索キーを設けて豊富に用意することが好ましい。例えば、土曜日や日曜日の場合には、様々なイベントが催される、といった情報を提示できる。全ての旅行案内データ２８にはそれぞれ更新日が確認できるような情報を付加しておく。また、価格情報３０は、こうした旅行案内データの編集に必要な費用に基づいてその売値を表示したものである。また、ページ単価が決まっているときは、ページ数としてもよい。さらに、管理コンピュータ側で旅行案内データ２８を印刷するときには、印刷費用がどの程度かかるか、といった計算をし、その情報を含めておくとよい。
【００４７】
旅行案内データの内容に応じて、印刷コストは異なる。文字のみのページとカラー写真の多いページとは印刷費用が大きく異なる。出版元にはデータ作成料が支払われ、管理コンピュータの製本装置を管理する側に印刷費用が支払われる。データ作成料と印刷費用の合計額を出版元で予め計算しておき、価格情報に含めておけば、管理コンピュータのブック価格計算手段の処理が容易になる。登録情報３６は、既にこの端末装置に割り当てられた登録コードや旅行案内データ２８やネットワークを通じてアクセスするときに必要なＵＲＬなどを含めた情報である。これは、そのまま管理コンピュータに転送される。
【００４８】
また、旅行案内ホームページを開設している場合は、その内容をそっくり旅行案内テンプレート３２の形式に変換して転記すれば、旅行案内データが生成できることが多い。旅行案内データ生成手段１０４は、旅行案内テンプレート３２と旅行案内ホームページ１１０とを出版元の記憶装置６４から読み出して旅行案内データ２８を自動的に生成する機能を持つとよい。インターネットを利用して旅行先の情報を収集することはよく行われているが、その内容や表示形式はホームページ毎にまちまちで、それらを印刷して所持してもなかなか利用しづらい。また、装丁のよいガイドブックは旅行の記念にすることができる。従って、テンプレートで統一された出版元の端末装置１８で旅行案内データ２８を生成することは非常に意義がある。
【実施例３】
【００４９】
図５（ａ）は、出版元のコンピュータによる旅行案内データ登録処理動作を具体的に示すフローチャートである。ここでは、上記のシステムを動作させるために適する、コンピュータプログラムに関する実施例の説明をする。ステップＳ１１では、管理コンピュータ１４が出版元の端末装置１８から旅行案内テンプレート要求を受信する。ステップＳ１２では、管理コンピュータ１４から出版元の端末装置１８に対して旅行案内テンプレート３２を送信する。その旅行案内テンプレート３２を使用した旅行案内データ２８が生成されると、ステップＳ１３で出版元の端末装置１８から登録情報を受付ける。こうして、ステップＳ１４で、管理コンピュータの記憶装置２６に登録情報３６が記憶される。ステップＳ１５では、登録情報３６を使用して、ブック価格計算手段４２が価格情報３０の生成をする。データ選択制御中にウェブサーバ１６から価格計算の要求があると、この価格情報３０を使用する。
【００５０】
図５（ｂ）は、ウェブサーバ１６の選択制御動作を示すフローチャートである。ステップＳ２１では、ウェブサーバ１６が利用者の端末装置２４のアクセスを検出する。ステップＳ２２では、選択画面データ５６を利用者の端末装置２４に表示するための転送制御をする。その後は利用者の操作によるデータ入力待ちの状態になる。データが入力されると、ステップＳ２３では、図２に示した表題８４の取得をする。次にステップＳ２４では、旅行日８６の取得をする。さらに、ステップＳ２５では、旅行先８８の取得をする。ステップＳ２６では、取得した情報を引数にして、管理コンピュータに対してブック価格計算依頼をする。
【００５１】
ブック価格の計算は、管理コンピュータ１４のブック価格計算手段４２が実行する。その結果が返されると、ステップＳ２７で、選択画面に対してブック価格を表示する。その後、ステップＳ２８でデータ選択制御手段６０は、「注文ボタンがクリックされたか？」という判断をする。この判断の結果がイエスのときはステップＳ２９の処理に移行し、ノーのときはステップＳ２３の処理に移行する。ステップＳ２９では、利用者の認証をする。この結果を含む選択情報６２が、ステップＳ３０で、管理コンピュータ１４に送信される。
【００５２】
図６は、管理コンピュータ１４によるガイドブック生成動作を示すフローチャートである。まず、ステップＳ３１で、管理コンピュータ１４は選択情報６２を受信する。ステップＳ３２では、編集手段４０が記憶装置２６から旅行案内データ２８の読み出しをする。ステップＳ３３では、編集手段４０が、記憶装置２６に該当する旅行案内データがあったかどうかの判断をする。単位エリア毎の旅行案内データであるから、全ての旅行案内データについてこの判断をする。この判断の結果がイエスのときはステップＳ３５の処理に移行し、ノーのときはステップＳ３４の処理に移行する。
【００５３】
ステップＳ３４では、該当するいずれかの出版元の端末装置１８から旅行案内データ２８を取得をする。この処理は編集手段４０が、ネットワーク１２を通じて出版元の記憶装置６４等記憶されたデータを読み取って行う。その結果は管理コンピュータの記憶装置２６に記憶される。ステップＳ３５では、旅行案内データの更新日を読み取る。ステップＳ３６では、表紙の編集をする。ステップＳ３７では、他のページの編集をする。その結果は図２で説明したとおりである。
【００５４】
ステップＳ３８では、ブック価格計算手段４２が価格情報からブック価格計算をする。この処理は管理コンピュータの記憶装置２６に記憶された価格情報３０を読み取って行う。その結果は顧客情報３４等に記憶される。ステップＳ３９では、全ての旅行案内データの編集が終了したかどうかの判断をする。この判断の結果がイエスのときはステップＳ４０の処理に移行し、ノーのときはステップＳ３２の処理に移行する。
【００５５】
ステップＳ４０では、利用者がデータのダウンロードを要求しているかどうかの判断をする。この判断の結果がイエスのときはステップＳ４１の処理に移行し、ノーのときはステップＳ４３の処理に移行する。ステップＳ４１では、決済処理をする。ブック価格計算手段４２が販売処理手段４３に計算結果のデータを渡し、販売処理手段４３がよく知られた口座振替等の処理を実行する。その後、ステップＳ４２で、ガイドブックデータを管理コンピュータ１４から利用者の端末装置２４に対して送信する。
【００５６】
ステップＳ４３では、利用者がガイドブックの製本を要求しているかどうかの判断をする。この判断の結果がイエスのときはステップＳ４４の処理に移行し、ノーのときはステップＳ４７の処理に移行する。ステップＳ４４では、ガイドブック印刷データの生成をする。この処理は編集手段４０が旅行案内データ２８を読み取って行う。その結果は顧客情報３４等に記憶される。ステップＳ４５では、製本装置４８にガイドブック印刷データを転送して、印刷制御をする。ステップＳ４６では、請求書の印刷をする。ステップＳ４７では、各出版元との間の費用精算処理をする。出版元に価格計算書５２を送信して、費用決済の承認を得る等の処理をすれば、この部分の自動化も可能である。
【００５７】
図７は出版元のコンピュータによる処理動作を説明するフローチャートである。ステップＳ５１では、出版元の端末装置１８は、管理コンピュータ１４から旅行案内テンプレート３２を受信する。旅行案内テンプレート３２は出版元の記憶装置６４に記憶される。その後、ステップＳ５２で、例えば、旅行案内ホームページ１１０と旅行案内テンプレート３２を利用して、旅行案内データ生成手段１０４が旅行案内データ２８を自動的に生成する。あるいは、出版元の記憶装置６４の管理者の生成処理を支援する。ステップＳ５３で、完成した旅行案内データ２８は出版元の記憶装置６４に記憶され、ネットワークを通じて閲覧可能な状態に保存される。
【００５８】
ステップＳ５４で旅行案内データ生成手段１０４は、旅行案内データ２８中に更新日の記録をする。さらに、旅行案内データ生成手段１０４は、ステップＳ５５で旅行案内データ２８を解析して価格情報３０を生成し、出版元の記憶装置６４に記憶させる。次に、データ登録手段１０６は、管理コンピュータ１４に登録をするための登録情報３６を生成して、出版元の記憶装置６４に記憶させる。その後、データ登録手段１０６は、ネットワークを通じて管理コンピュータ１４と接続し、登録情報３６の登録処理を実行する。
【００５９】
上記のようにして、登録処理が完了すると、いつでも管理コンピュータ１４に対して、旅行案内データ２８を提供できる状態になる。ここで、ステップＳ６０で管理コンピュータ１４から選択情報の受信をする。管理コンピュータ１４による旅行案内データ２８の転送要求である。ステップＳ６２では、データ転送手段１０８が、管理コンピュータ１４に対して旅行案内データ２８の転送をする。この後で、例えば、郵送で価格計算書２（図１）を受領する。
【００６０】
なお、管理コンピュータ１４では、一定期間、例えば、１月おきに、各出版元の旅行案内データ２８の更新日をチェックする。この更新日が古いときは、自動的に、更新要求手段４４（図１）が、該当する出版元の端末装置１８に旅行案内更新要求コメントを送信する。ステップＳ６３で、出版元の端末装置１８が旅行案内更新要求を受信すると、ステップＳ６４で、その更新要求コメントの表示出力をする。この表示に従って出版元の端末装置１８の管理者が旅行案内データ２８を更新すればよい。なお、旅行案内更新要求を受信すると旅行案内データ生成手段１０４が自動的に起動して、自動的に旅行案内ホームページ１１０の内容に基づいて、新たな旅行案内データ２８を生成するようにするとよい。そうすれば、旅行案内ホームページ１１０を高い頻度で更新するように管理していれば、自動的に旅行案内データ２８も新鮮な状態が維持される。
【００６１】
なお、上記の演算処理装置にインストールされたコンピュータプログラムは、それぞれ独立したプログラムモジュールを組み合わせて構成してもよいし、全体を一体化したプログラムにより構成してもよい。コンピュータプログラムにより制御される処理の全部または一部を同等の機能を備えるハードウエアで構成しても構わない。また、上記のコンピュータプログラムは、既存のアプリケーションプログラムに組み込んで使用してもよい。上記のような本発明を実現するためのコンピュータプログラムは、例えばＣＤ−ＲＯＭのようなコンピュータで読み取り可能な記録媒体に記録して、任意の情報処理装置にインストールして利用することができる。また、ネットワークを通じて任意のコンピュータのメモリ中にダウンロードして利用することもできる。
【図面の簡単な説明】
【００６２】
【図１】実施例１のガイドブック印刷システムを示すブロック図。
【図２】選択画面とガイドブックの表紙とページを示す説明図。
【図３】ネットワークを通じた交信データの種類と内容の説明図。
【図４】実施例２のガイドブック印刷システム用端末装置を示すブロック図。
【図５】旅行案内データ登録処理動作と選択制御動作を示すフローチャート。
【図６】ガイドブック生成動作を示すフローチャート。
【図７】出版元のコンピュータによる処理動作を説明するフローチャート。
【符号の説明】
【００６３】
１２  ネットワーク、  １４  管理コンピュータ、  １６  ウェブサーバ、  １８  出版元の端末装置、  ２０  出版元の端末装置、  ２２  出版元の端末装置、  ２４  利用者の端末装置、  ２６  管理コンピュータの記憶装置、  ２８  旅行案内データ、  ３０  価格情報、  ３２  旅行案内テンプレート、  ３４  顧客情報、  ３６  登録情報、  ３８  管理コンピュータの演算処理装置、  ４０  編集手段、  ４２  ブック価格計算手段、  ４３  販売処理手段、  ４４  更新要求手段、  ４６  ガイドブック用データ、  ４７  ガイドブック、  ４８  製本装置、  ４９  プリンタ、  ５０  請求書、  ５２  価格計算書、  ５４  ウェブサーバの記憶装置、  ５６  選択画面データ、  ５８  ウェブサーバの演算処理装置、  ６０  データ選択制御手段、  ６２  選択情報、  ６４  出版元の記憶装置、  ６６  出版元の記憶装置、  ６８  出版元の記憶装置、  ７０  単位エリア毎の旅行案内データ、  ７６  単位エリア毎の価格情報
【図１】
2005275768.tif 000003
【図２】
2005275768.tif 000004
【図３】
2005275768.tif 000005
【図４】
2005275768.tif 000006
【図５】
2005275768.tif 000007
【図６】
2005275768.tif 000008
【図７】
2005275768.tif 000009